(57)【要約】【課題】警報が出力された場合の受信機の制御を、遠隔的な音声入力により、簡単且つ確実に行うことを可能とする。【解決手段】警戒区域に設けたアナログ感知器１４からの火災信号を受信して受信機１０で火災警報が出力された場合、防災担当者は音声操作端末３６を携帯して火災発生場所に出向いて現場確認し、火災であれば、音声操作端末３６のマイクから「火災断定」を音声入力することで、音声入力した音声信号がアナログ感知器１４による近距離無線ネットワークから伝送路１２を介して受信機１０に送信され、受信機１０の音声認識制御部３４で音声認識が行われ、認識結果として得られた火災断定に対応した制御により警報停止や連動移報停止が自動的に解除される。【選択図】図１
2020077427.tif 000002
【特許請求の範囲】
【請求項１】
感知器からの信号に基づいて受信機で警報を出力する防災監視設備に於いて、
利用者により携帯され、当該利用者による音声入力に基づいて音声信号を送信する音声操作端末と、
前記音声操作端末と前記受信機との間で信号を伝送する防災監視設備の伝送系と、
前記伝送系を経由して前記音声操作端末からの音声信号を受信し、当該音声信号に対応する制御を前記受信機に行わせる音声認識制御部と、
を備えたことを特徴とする防災監視設備。
【請求項２】
請求項１記載の防災監視設備に於いて、
前記伝送系を、
前記音声操作端末に設けられ、信号を無線により送受信する端末通信部と、
前記感知器に設けられ、前記端末通信部から受信した信号を前記受信機に送信すると共に、前記受信機から受信した信号を前記端末通信部に送信する中継通信部と、
を備えて構成したことを特徴とする防災監視設備。
【請求項３】
請求項１記載の防災監視設備に於いて、
前記伝送系を、
前記音声操作端末に設けられ、前記受信機に接続した電話回線を介して前記受信機との間で信号を送受信する端末通信部と、
前記受信機に設けられ、当該受信機と前記電話回線との間で信号を送受信する電話回線アダプタと、
を備えて構成したことを特徴とする防災監視設備。
【請求項４】
請求項１乃至３の何れかに記載の防災監視設備に於いて、
前記音声認識制御部は、前記受信機からの音声入力に基づいて対応する制御を当該受信機に行わせることを特徴とする防災監視設備。
【請求項５】
請求項１乃至４の何れかに記載の防災監視設備に於いて、
前記音声操作端末は、音声入力開始信号を前記音声認識制御部に送信した後に確認応答信号を受信した場合に、音声入力の開始を報知し、
前記音声認識制御部は、前記音声入力開始信号を受信した場合に、前記確認応答信号を前記音声操作端末に送信すると共に音声認識動作を開始し、前記音声操作端末から受信した前記音声信号に基づいて対応する制御を行った後に前記音声認識動作を停止することを特徴とする防災監視設備。
【請求項６】
請求項１乃至５の何れかに記載の防災監視設備に於いて、
前記音声認識制御部は、前記音声操作端末から受信した前記音声信号の認識に成功して対応する制御を行った場合に、正常終了信号を前記音声操作端末に送信して正常終了を報知させ、前記音声信号の認識に失敗した場合に、リトライ信号を前記音声操作端末に送信して、前記利用者による音声入力の再入力を報知させることを特徴とする防災監視設備。
【請求項７】
請求項１乃至６の何れかに記載の防災監視設備に於いて、
前記音声認識制御部は、前記音声操作端末から受信した前記音声信号の認識に成功した場合に、認識結果を示す信号を前記音声操作端末に送信した後に確認応答信号を受信した場合に、前記認識結果に対応した制御を前記受信機に行わせることを特徴とする防災監視設備。
【請求項８】
請求項１乃至７の何れかに記載の防災監視設備に於いて、
前記音声操作端末は、前記音声入力の音量を表示する音量表示器を備えたことを特徴とする防災監視設備。
【請求項９】
請求項１乃至８の何れかに記載の防災監視設備に於いて、
前記音声認識制御部は、音声入力訓練モードが設定された場合に、前記音声操作端末又は前記受信機から受信した前記音声信号の認識に成功した場合に、認識結果を報知することを特徴とする防災監視設備。
【請求項１０】
請求項１乃至９の何れかに記載の防災監視設備に於いて、
前記音声認識制御部は、前記音声信号に基づいて対応する制御を行った場合に、当該音声信号又は当該行った制御を履歴情報として保存することを特徴とする防災監視設備。
【請求項１１】
請求項１０記載の防災監視設備に於いて、
前記音声信号の履歴情報は、音声信号のＡＤ変換データ、認識結果に対応したコード化情報、又は認識結果を示すテキスト情報の少なくとも何れかを含むことを特徴とする防災監視設備。
【請求項１２】
請求項１乃至１１の何れかに記載の防災監視設備に於いて、前記音声信号の認識を外部の音声認識装置で行うことを特徴する防災監視設備。
【発明の詳細な説明】
【技術分野】
【０００１】
本発明は、火災やガス漏れ等の異常を検出して警報した場合に音声により異常断定等の制御を行う防災監視設備に関する。
【背景技術】
【０００２】
従来、火災やガス漏れを監視する防災監視設備の受信機は建物内の防災センターや管理室などに設置されており、例えば火災感知器や発信機からの火災信号を受信することで、火災代表表示を行うと共に主音響や地区音響装置を鳴動させ、防火戸や防火シャッター等の連動制御を行う。
【０００３】
このため受信機の盤面には、火災やガス漏れを断定して警報停止や連動停止を解除する断定スイッチ、主音響や地区音響を停止するスイッチ、火災でない場合に受信機を復旧させるスイッチ、更には液晶タッチパネル等を設けている。
【０００４】
火災発生により警報が出力された場合、防災管理者や防災担当者は予め定められた取扱いの手順に従い、音響停止、現場確認、消防機関への通報、初期消火、避難誘導という手順に従った一連のスイッチ操作や対処を行うことになる。
【０００５】
しかしながら、従来の防災監視設備にあっては、火災が発生したときの警報により、防災担当者があわててしまい、受信機を適切に操作することができない場合が想定される。また、最近の受信機はプログラムによって色々な機能を設定して実現することができる反面、その多機能化によって受信機前面に多くのスイッチを設けたり、複数のスイッチ操作を必要とするコンビネーション操作、若しくは液晶タッチパネルで操作するようになっており、スイッチが多かったり、スイッチのコンビネーション操作は操作者には解り難く操作がスムーズにできず、特別な訓練が必要である。
【０００６】
また、スイッチの誤操作は建物内の人に火災の発生を知らせることの妨げとなる場合もあり、避難を迅速に行えず、最悪、人命に重大な影響を与える可能性もある。
【０００７】
また、操作手順をスイッチ周辺等にＬＥＤを配置した表示灯付スイッチ等で操作可能なスイッチを表示するなどのガイダンス機能を持たせた受信機もあるが、複数のスイッチが盤面に存在するため完全に誤動作を防ぐということはできない。
【０００８】
ところで、防災監視設備に連動する予作動式スプリンクラ設備にあっては、防護領域にマイクを設け、「火事だ」等の火災確定語を音声認識して予作動弁を開放制御ものが提案されている（特許文献１）。
【０００９】
そこで、防災監視設備についても、受信機に音声認識機能を設け、受信機に設けたマイクから入力した音声を認識し、音声により指示した制御を行うことが考えられる。
【先行技術文献】
【特許文献】
【００１０】
【特許文献１】特開２０１１−１８９０５５号公報
【特許文献２】特開２００９−０８７１１１号公報
【発明の概要】
【発明が解決しようとする課題】
【００１１】
しかしながら、受信機に音声認識機能を設けて音声入力により制御を行うようにした防災監視設備にあっても、受信機が火災警報を出力した場合、防災担当者が火災発生場所に出向いて火災かどうかを確認し、火災であれば受信機に戻るか、非常電話等により連絡し、受信機での音声入力により火災断定を行い、また、火災でなかった場合には、受信機での音声入力により地区音響停止を行い、感知器が作動した原因を現場で除去した後に受信機での音声入力により復旧することとなり、音声入力による制御ができても、火災断定や地区音響停止、更には復旧には手間と時間がかかり、特に、夜間のように防災担当者が一人しかいない場合には迅速且つ適切な対応が困難となることが想定される。
【００１２】
また、火災感知器を設置した警戒区域にマイクを設置し、マイクからの音声信号を受信機に送って音声認識により制御することも考えられるが、火災が発生する場所を事前に特定できない警戒区域に多数のマイクを配置して受信機に信号線接続することは、膨大な数のマイクと配線を必要とするために実現性に欠ける問題がある。
【００１３】
本発明は、受信機から警報が出力された場合の受信機の制御を、遠隔的な音声入力により、簡単且つ確実に行うことを可能とする防災監視設備を提供することを目的とする。
【課題を解決するための手段】
【００１４】
（防災監視設備）
本発明は、感知器からの信号に基づいて受信機で警報を出力する防災監視設備に於いて、
利用者により携帯され、当該利用者による音声入力に基づいて音声信号を送信する音声操作端末と、
音声操作端末と受信機との間で信号を伝送する防災監視設備の伝送系と、
伝送系を経由して音声操作端末からの音声信号を受信し、当該音声信号に対応する制御を受信機に行わせる音声認識制御部と、
を備えたことを特徴とする。
【００１５】
（近距離無線通信を利用した伝送系）
伝送系を、
音声操作端末に設けられ、信号を無線により送受信する端末通信部と、
感知器に設けられ、端末通信部から受信した信号を、受信機に送信すると共に、受信機から受信した信号を端末通信部に送信する中継通信部と、
を備えて構成する。
【００１６】
（電話回線を利用した伝送系）
伝送系を、
音声操作端末に設けられ、受信機に接続した電話回線を介して受信機との間で信号を送受信する端末通信部と、
受信機に設けられ、当該受信機と電話回線との間で信号を送受信する電話回線アダプタと、
を備えて構成する。
【００１７】
（受信機マイクによる音声認識）
音声認識制御部は、受信機からの音声入力に基づいて対応する制御を当該受信機に行わせる。
【００１８】
（音声認識動作の開始と停止）
音声操作端末は、音声入力開始信号を音声認識制御部に送信した後に確認応答信号を受信した場合に、音声入力の開始を報知し、
音声認識制御部は、音声入力開始信号を受信した場合に、確認応答信号を音声操作端末に送信すると共に音声認識動作を開始し、音声操作端末から受信した音声信号に基づいて対応する制御を行った後に音声認識動作を停止する。
【００１９】
（音声認識動作の正常終了とリトライ）
音声認識制御部は、音声操作端末から受信した音声信号の認識に成功して対応する制御を行った場合に、正常終了信号を音声操作端末に送信して正常終了を報知させ、音声信号の認識に失敗した場合に、リトライ信号を音声操作端末に送信して、前記利用者に夜音声入力の再入力を報知させる。
【００２０】
（音声認識結果の確認応答による制御）
音声認識制御部は、音声操作端末から受信した音声信号の認識に成功した場合に、認識結果を示す信号を音声操作端末に送信した後に確認応答信号を受信した場合に、認識結果に対応した制御を受信機に行わせる。
【００２１】
（音声入力レベルの表示）
音声操作端末は、音声入力の音量を表示する音量表示器を備える。
【００２２】
（音声認識のチュートリアル機能）
音声認識制御部は、音声入力訓練モードが設定された場合に、音声操作端末又は受信機から受信した音声信号の認識に成功した場合は、認識結果を報知する。
【００２３】
（音声操作の履歴）
音声認識制御部は、音声信号に基づいて対応する制御を行った場合に、当該音声信号又は当該行った制御を履歴情報として保存する。
【００２４】
（履歴情報）
音声信号の履歴情報は、音声信号のＡＤ変換データ、認識結果に対応したコード化情報、又は認識結果を示すテキスト情報の少なくとも何れかを含む。
【００２５】
（外部装置による音声認識）
音声信号の認識を外部の音声認識装置で行う。
【発明の効果】
【００２６】
（基本的な効果）
本発明は、警戒区域に引き出された信号線に接続した検出器からの異常検出信号を受信機で受信して警報を出力する防災監視設備に於いて、利用者により携帯され、音声入力によりマイクで変換した音声信号を送信する音声操作端末と、受信機と警戒区域の間に設けられ、音声操作端末と受信機との間で信号を伝送する防災監視設備の伝送系と、受信機に設けられ、伝送系を経由して受信した声操作端末からの音声信号を認識して対応する制御を行わせる音声認識制御部とを設けるようにしたため、受信機から火災警報が出力され、防災担当者が火災発生場所に出向いて現場確認する場合、音声操作端末を携帯し、例えば火災であった場合には、音声操作端末に向かって「火災断定」とする言葉の音声入力を行うことで、火災断定を指示する音声信号が受信機に送られて音声認識され、認識結果により火災断定指示に対応した制御が行われて、例えば停止中となっている警報停止や移報連動停止を自動的に解除し、火災発生に対応した制御や対処を可能とし、確認現場から受信機に戻って音声入力する手間と時間を省くことができ、受信機に戻る必要がないことから、火災現場で初期消火や避難誘導等の対処を直ぐに行うことを可能とする。
【００２７】
（近距離無線通信を利用した伝送系の効果）
また、防災監視設備の伝送系を、音声操作端末に設けられ、信号を無線により送受信する端末通信部と、検出器に設けられ、端末通信部から受信した信号を、信号線を介して受信機に送信すると共に、受信機から信号線を介して受信した信号を端末通信部に送信する中継通信部とにより構成するようにしたため、警戒区域に設置した火災感知器に近距離無線ネットワークによる通信機能を設けると共に、例えば、火災感知器と受信機の間のＲ型の伝送通信を利用することで、火災現場に出向いた防災担当者が携帯している音声操作端末への音声入力により、受信機の遠隔的な制御を簡単に行うことを可能とする。
【００２８】
（電話回線を利用した伝送系の効果）
また、防災監視設備の伝送系を、音声操作端末に設けられ、受信機からの電話回線に接続した発信機の電話機接続端子に着脱自在に接続され、電話回線を介して受信機との間で信号を送受信する端末通信部と、受信機に設けられ、受信機制御部に設けた入出力ポートと電話回線の間に接続され、入出力ポートと電話回線との間で信号を送受信する電話回線アダプタとにより構成するようにしたため、火災現場に出向いた防災担当者が携帯している音声操作端末を、発信機に設けた電話ジャックに接続することで、音声操作端末と受信機との間の伝送系が電話回線を利用して構築され、音声操作端末への音声入力により、受信機の遠隔的な制御を簡単に行うことを可能とする。
【００２９】
（受信機マイクによる音声認識の効果）
また、受信機に設けた音声認識制御部は、受信機に設けたマイクから入力された音声信号を認識して対応する制御を行わせるようにしたため、受信機から火災警報が出力された場合、受信機に設けたマイクに向かって例えば「火災断定」とする言葉の音声入力を行うことで音声認識され、認識結果により火災断定指示に対応した制御が行われて、例えば警報停止や移報連動停止を自動的に解除して、火災発生に対応した制御や対処を可能とし、受信機でスイッチを捜して操作する手間と時間を省くことができ、また、操作するスイッチや操作手順を誤ることを防止可能とする。
【００３０】
（音声認識動作の開始と停止による効果）
また、音声操作端末は、音声入力スイッチの操作による音声入力開始信号を受信機の音声認識制御部に送信し、受信機から確認応答信号を受信して音声入力の開始を音又は表示により報知し、受信機の音声認識制御部は、音声操作端末から音声入力開始信号を受信した場合に、確認応答信号を音声操作端末に送信すると共に音声認識動作を開始し、音声操作端末から受信した音声信号を認識して対応する制御を行った後に音声認識動作を停止するようにしたため、受信機はＣＰＵによるプログラムの実行で液晶タッチパネルによる操作表示機能や音声認識機能を含む各種の制御機能を実現しているが、音声操作端末のスイッチ操作により受信機での音声認識動作を開始することで、音声認識が必要な時間にのみ音声認識動作を実行することができ、受信機の処理負担を低減し、音声認識機能を効率的に使用可能とする。
【００３１】
また、音声操作端末を携帯している利用者は、音声操作端末からの開始音の出力により、受信機で音声認識動作が開始されて音声入力が可能になったことが分かり、これに応じて音声入力を適切なタイミングで行うことを可能とする。
【００３２】
（音声認識動作の正常終了とリトライによる効果）
また、受信機の音声認識制御部は、音声操作端末から受信した音声信号の認識に成功して対応する制御を行った場合に、正常終了信号を音声操作端末に送信して正常終了を報知させ、音声信号の認識に失敗した場合に、リトライ信号を音声操作端末に送信して音声の再入力を報知させるようにしたため、音声操作端末を携帯している利用者は、火災現場等の受信機から離れた場所で、受信機で音声入力により指示した制御が行われたことが確認でき、また、受信機で音声認識に失敗した場合には、これを知って再入力等の対処を簡単且つ確実に行うことを可能とし、音声入力による受信機制御の信頼性を向上できる。
【００３３】
（音声認識結果の確認応答による制御の効果）
また、受信機の音声認識制御部は、音声操作端末から受信した音声信号の認識に成功した場合に、認識結果を示す音声信号又は文字列信号を音声操作端末に送信して出力させ、音声操作端末から確認応答信号を受信した場合に、認識結果に対応した制御を行わせるようにしたため、受信機で音声入力の認識に成功した場合に、認識内容が音声操作端末から音声出力又は文字列表示により報知され、この報知内容から音声入力の認識結果が正しければ、確認スイッチを操作して確認応答信号を受信機に送信して、認識結果に対応した制御が行われ、認識結果に誤りがある場合は確認応答信号の受信がないことで、誤った制御を阻止可能とし、音声入力による遠隔的な制御の信頼性を向上可能とする。
【００３４】
（音声入力レベルの表示による効果）
また、音声操作端末に、マイクから入力した音声の大きさを表示する音量表示器を設けるようにしたため、音声を自動認識するには、適量の音声信号を入力する必要があり、入力された音声の大きさに応じて例えばＬＥＤバーメータ等により音量の変化を表示し、声が小さ過ぎるとマイクに近づくか大きな声で話すことを促すこととなり、音声マイクに入力する操作者は安心して適正な音量の言葉を入力できるため、音声認識の失敗に対し音声入力を何度も繰り返し入力する必要がなく、音声入力による受信機の制御を確実に行うことを可能とする。
【００３５】
（音声認識のチュートリアル機能による効果）
また、受信機の音声認識制御部は、音声入力訓練モードを設定した場合に、音声操作端末又は受信機に設けたマイクからの音声信号を認識して認識結果を報知するようにしたため、受信機に話しかけて音声認識により制御を行う最適な方法を学ぶことができ、マイクからの最適な距離や発生音量を理解し経験できるため、音声回路の自動利得制御（ＡＧＣ）でコントロールできる範囲の適正な音量での入力を可能とし、適正音量による入力でエコーやハウリング等による不都合も防止できる。
【００３６】
（音声操作の履歴による効果）
また、受信機の音声認識制御部は、音声信号を認識して制御した場合に、認識した音声信号または行った制御を履歴情報として保存し、この場合の音声信号の履歴情報は、音声信号をＡＤ変換した音声データ、認識結果に対応したコード化情報、又は認識結果を示すテキスト情報の少なくとも何れかを含むようにしたため、マイクからの音声信号によって受信機を制御した場合に、その履歴情報を保存し、必要に応じて音声入力による履歴情報を読出して解析や確認等を可能とする。
【００３７】
また、マイクから入力した音声信号を音声データとして保存するだけでなく、コード化したり、テキスト化したりして保存することで、音声入力の履歴情報を文字情報として表示したり、印字したりすることを可能とする。
【００３８】
また、音声データによる履歴情報の保存に代えて、文字列を示すコード化情報やテキス.ト情報として保存することで、履歴情報の記憶容量を低減し、メモリ使用量を低減可能とする。
【００３９】
（外部装置による音声認識の効果）
また、受信機の設けた音声認識制御部の音声認識を、ネットワークを介して接続した外部の音声認識装置により行うようにしたため、例えばインターネット上に存在するサーバの高度な音声認識機能を利用することで、精度の高い認識結果を得て受信機を制御することが可能となり、また、受信機による音声認識動作を不要とすることで、受信機の処理負担を低減可能とする。
【図面の簡単な説明】
【００４０】
【図１】音声入力により受信機を遠隔的に操作するＲ型防災監視設備の概要を示したブロック図
【図２】Ｒ型防災監視設備の受信機を示した説明図
【図３】図２の受信機に設けた操作部を取り出して示した説明図
【図４】近距離アナログ無線ネットワークの通信機能を備えたアナログ感知器の機能構成を示したブロック図
【図５】音声操作端末の機能構成を示したブロック図
【図６】受信機に設けた音声認識制御部の機能構成を示したブロック図
【図７】受信機に設けたスイッチ制御情報、音声認識結果の出力に使用する音声認識出力情報、及び文字情報バッファの格納情報を示した説明図
【図８】火災警報を出力した場合の受信機に設けた液晶表示部の表示画面を示した説明図
【図９】音声操作端末と受信機の間でアナログ感知器を介して行う音声入力による制御動作を示したタイムチャート
【図１０】電話回線を利用して音声入力により受信機を遠隔的に制御するＰ型防災監視設備の概要を示したブロック図
【図１１】図１０に設けた音声操作端末の機能構成を示したブロック図
【発明を実施するための形態】
【００４１】
［防災監視設備の概要］
（防災監視設備）
図１はＲ型防災監視設備の概要を示したブロック図である。図１に示すように、Ｒ型の受信機１０には、受信機制御部１６，伝送部１８、表示部２０、液晶表示部２２、操作部２４、マイク２６、音響警報部２８、移報部３０及びプリンタ３２を設けている。
【００４２】
受信機１０からは施設の警戒エリアに向けて伝送路１２が引き出され、伝送路１２にアナログ感知器１４を接続している。また伝送路１２には中継器を接続し、中継器から引き出された感知器回線にオンオフ感知器及び発信機を接続し、また別の中継器にはガス漏れ検出器を接続しているが、図示を省略している。
【００４３】
アナログ感知器１４は、受信機１０との間で情報を双方向伝送する伝送機能を備えており、受信機１０を含めて固有のアドレスが予め割り当てられている。１つの伝送路１２に接続できるアナログ感知器１４や中継器等の端末数は、例えば最大アドレス数が２５６アドレスの場合、受信機アドレスを除くことから、２５５台以下の端末を接続することができる。
【００４４】
また、受信機１０に設けた別の伝送部からは制御用の伝送路が引き出され、そこに地区音響装置や防排煙機器等の制御機器を伝送路に接続して制御するようにしているが、図示を省略している。
【００４５】
受信機１０の受信機制御部１６は、ＣＰＵ、メモリ、各種の入出力ポートを備えたコンピュータ回路で構成しており、プログラムの実行により所定の受信機制御を行う。
【００４６】
受信機１０からアナログ感知器１４に対する下り信号は電圧モードで伝送している。この電圧モードの信号は、伝送路１２の電圧を例えば１８ボルトと３０ボルトの間で変化させる電圧パルスとして伝送される。
【００４７】
これに対しアナログ感知器１４からの上り信号は電流モードで伝送される。この電流モードにあっては、伝送路１２に伝送データの１ビット毎のタイミングで信号電流を流し、いわゆる電流パルス列として上り信号が受信機に伝送される。
【００４８】
受信機１０の受信機制御部１６による受信制御は次のようになる。受信機１０は、通常の監視中にあっては、端末アドレスを順次指定した正常監視用のポーリングコマンドを送信しており、アナログ感知器１４は自己の設定アドレスに一致するポーリングコマンドを受信すると正常監視応答を行う。このため受信機１０にあっては、ポーリングコマンドに対し応答がなかったアナログ感知器１４の障害を検出することができる。
【００４９】
また受信機１０は、すべての端末アドレスに対するポーリングコマンドの送信周期ごとに一括ＡＤ変換コマンドを繰り返し送信している。アナログ感知器１４は受信機１０からの一括ＡＤ変換コマンドを受信すると、検出している煙濃度や温度などのアナログ検出データをサンプリングし、予め定めた火災レベルと比較している。
【００５０】
アナログ感知器１４でサンプリングしたアナログ検出データが火災レベルを超えた場合には、受信機１０に対しポーリングコマンドに対する応答タイミングで割込信号を送信する。この割込信号は、応答ビット列をオール１とするような通常は使用されない信号を送る。
【００５１】
受信機１０は、アナログ感知器１４からの割込信号を受信すると、グループ検索コマンドを発行し、火災を検出したアナログ感知器１４を含むグループからの割込応答を受信してグループを判別する。
【００５２】
続いて、判別したグループに含まれる個々のアナログ感知器１４に対し、順次アドレス
を指定したポーリングを行い、アナログデータ等の火災応答を受けることで、火災を検出したアナログ感知器１４の感知器アドレスを認識し、火災警報動作を行うことになる。
【００５３】
（音声認識制御）
受信機１０の受信機制御部１６には音声認識制御部３４の機能が設けられている。音声認識制御部３４は、受信機１０に設けたマイク２６への音声入力による音声信号を取り込んで音声認識し、音声認識結果に対応した制御を行う。
【００５４】
また、音声認識制御部３４は、防災担当者３８が携帯する音声操作端末３６に設けたマイクへの音声入力による音声信号を、アナログ感知器１４及び伝送路１２からなる防災監視設備の伝送系を経由して受信し、受信した音声信号を取り込んで音声認識し、音声認識結果に対応した制御を行う。
【００５５】
音声操作端末３６から受信機１０に音声信号を伝送するため、音声操作端末３６及びアナログ感知器１４に、ＺｉｇＢｅｅ（登録商標）、Ｂｌｕｅｔｏｏｔｈ（登録商標）、又はＳＴＤ−３０（小電力セキュリティシステム無線局の無線設備標準規格）等による近距離無線通信機能を設けている。
【００５６】
（受信機パネル）
図２は図１の防災監視設備に設けた受信機の外観を示した説明図である。図２に示す受信機１０は、建物の防災センターや管理人室等に設置されており、箱形の筐体前面に扉構造の受信機パネル４０を配置している。受信機パネル４０には、表示部２０、液晶表示部２２、操作部２４、プリンタ３２及び音響孔４２を設けている。
【００５７】
表示部２０には火災代表灯、ガス漏れ代表灯、障害代表灯等を設けている。液晶表示部２２は、液晶ディスプレイにタッチパネルを設けている。操作部２４には、火災警報が出力された場合に操作する各種の操作スイッチを設け、操作部２４の下には、下向きに開閉自在な小扉４４を設けており、小扉４４の中には、各種の操作スイッチに加え、受信機の状態表示灯や電話ジャック等を設けている。音響孔４２の背後には図１の音響警報部２８として機能するスピーカを配置している。
【００５８】
（操作部）
図３は受信機の操作部を取り出して示した説明図である。図３に示すように、想像線で示す小扉４４の上側の露出した操作部２４の部分には、火災又はガス漏れの断定スイッチ４６、音響停止スイッチ４８、地区音響一時停止スイッチ５０及び電話用のマイク２６を設けている。
【００５９】
また、小扉４４で覆われる操作部２４の部分には、復旧スイッチ５２、地区音響一斉鳴動スイッチ５４、一括連動移報停止スイッチ５６、電話ジャック５８及び状態表示部６０を設けている。
【００６０】
本実施形態では、操作部２４に設けた電話用のマイク２６を、音声認識制御を行うための音声入力に使用するマイクと兼用している。勿論、音声認識制御を行う音声入力専用のマイクを設けても良い。
【００６１】
また、操作部２４の露出した部分の左端には、音声入力スイッチ４５を設けており、マイク２６への音声入力により受信機１０を制御する場合には、音声入力スイッチ４５を操作し、スピーカから例えば「ピッ」といった音声入力の開始音が出たら、マイク２６に向かって操作に必要な言葉を話すことで、音声入力に基づく受信機１０の制御が行われる。
【００６２】
［アナログ感知器の構成］
図４はアナログ感知器の機能構成を示したブロック図である。図４に示すように、アナログ感知器１４には、電源部６２、感知器制御部６４、伝送部６６、センサ部６８、及びアンテナ７２を接続した中継通信部７０を設けている。
【００６３】
アナログ感知器１４に対する受信機１０からの伝送路１２は、電源線Ｖと電源コモン線ＶＣ、シリアル伝送線Ｓとシリアル伝送コモン線ＳＣを備えている。電源部６２は電源線Ｖと電源コモン線ＶＣにより受信機１０から供給された所定の直流電源電圧を、所定の感知器電源電圧に変換して各部に電源を供給する。伝送部６６はシリアル伝送線Ｓとシリアル伝送コモン線ＳＣにより、図１に示した受信機１０の伝送部１８との間で信号の送受信を行う。
【００６４】
センサ部６８は火災に伴う温度又は煙濃度を検出して感知器制御部６４に出力する。感知器制御部６４は、受信機１０から一括Ａ／Ｄ変換コマンドを受信した場合に、センサ部６８からの温度検出信号又は煙濃度検出信号をＡ／Ｄ変換してメモリに記憶し、所定の火災レベルを超えると、伝送部６６に指示して割込み信号を送信する。
【００６５】
中継通信部７０は図１に示した防災担当者３８が携帯している音声操作端末３６との間で近距離無線通信により信号の送受信を行い、また伝送部６６による受信機１０との間で信号を中継して送受信を行う。
【００６６】
中継通信部７０による近距離無線通信の通信プロトコルとしては、例えばＲＦＩＤ（Ｒａｄｉｏ  Ｆｒｅｑｕｅｎｃｙ  ＩＤｅｎｔｉｆｉｃａｔｉｏｎ「電波による個体識別」の略）に割当てられた例えば９００ＭＨｚの周波数、例えば９５０〜９５７ＭＨｚを使用したＺｉｇＢｅｅ（登録商標）として知られたセンサネットワーク用の近距離無線通信プロトコルを使用する。
【００６７】
ＺｉｇＢｅｅ（登録商標）による９００ＭＨｚ帯の短距離無線通信は、送信電力を特定小電力無線局と同様に１ｍＷ以下としており、１ｍＷとした場合の見通し通信距離は数十メートル程度であり、本実施形態の音声操作端末３６との通信に好適である。
【００６８】
また、中継通信部７０の通信プロトコルとしては、Ｂｌｕｅｔｏｏｔｈ（登録商標）としても良い。Ｂｌｕｅｔｏｏｔｈ（登録商標）は、２．４ＧＨｚ帯を７９の周波数チャネルに分け、利用する周波数をランダムに変える周波数ホッピングを行いながら、半径１０〜１００ｍ程度のＢｌｕｅｔｏｏｔｈ（登録商標）に対応した音声操作端末３６と無線通信を行う。
【００６９】
さらに、中継通信部７０の通信プロトコルとしては、日本国内の場合には、例えば４００ＭＨｚ帯の特定小電力無線局の標準規格として知られたＳＴＤ−３０（小電力セキュリティシステム無線局の無線設備標準規格）に準拠した通信プロトコルを使用しても良い。
【００７０】
特定小電力無線局に準拠した中継通信部７０の送信電力は、ＳＴＤ−３０の場合は１０ｍＷ以下であり、見通し通信距離は概ね１００メートル程度となり、本実施形態の防災機器に設けた音声操作端末３６との通信に好適である。
【００７１】
また、中継通信部７０で送受信する信号は、送信元ＩＤ、宛先ＩＤ、コマンド又はデータ等を含むパケット形式の信号とする。
【００７２】
［音声操作端末］
図５は音声操作端末の機能構成を示したブロック図である。図５に示すように、音声操作端末３６には、端末制御部７６、アンテナ８０を接続した端末通信部７８、表示部８２、操作部８４、マイク８６及びスピーカ８８を設けており、電池電源により動作する。
【００７３】
端末制御部７６は、ＣＰＵ、メモリ、各種の入出力ポートを備えたコンピュータ回路で構成しており、プログラムの実行により所定の端末制御を行う機能を備える。
【００７４】
端末通信部７８はアナログ感知器１４との間で近距離無線通信により信号を送受信し、端末通信部７８の通信プロトコルは、図５のアナログ感知器１４の中継通信部７０と同様に、ＺｉｇＢｅｅ（登録商標）、Ｂｌｕｅｔｏｏｔｈ（登録商標）、又はＳＴＤ−３０（小電力セキュリティシステム無線局の無線設備標準規格）とする。
【００７５】
表示部８２には液晶表示部を設け、受信機１０から受信した音声認識結果の文字表示機能、マイク８６から音声を入力した場合にバーメータ等による音量表示器としての機能、更には、アナログ感知器１４からの受信電波の強さを示す受信強度表示機能等を備える。
【００７６】
操作部８４には、音声入力の開始を受信機１０に通知するための音声入力スイッチ、受信機１０から受信した音声認識結果を示す表示に対し確認応答するための確認スイッチ等の各種のスイッチを設けている。
【００７７】
マイク８６は利用者（端末を使用する任意の人、ここでは防災担当者３８）の音声を入力して音声信号に変換し、ＡＧＣ制御によりレベル調整して端末制御部７６に出力している。マイク８６は音声操作端末３６の筐体に設けて良いし、利用者が頭部にセットして使用するヘッドセットにスピーカ８８と共に設けるようにしても良い。
【００７８】
スピーカ８８は、操作部８４に設けた音声入力スイッチの操作に伴う受信機１０から確認応答信号を受信した場合の例えば「ピッ」といった確認音や、受信機１０からの音声認識結果の確認問合せの音声出力等を行う。
【００７９】
端末制御部７６はマイク８６からの音声信号を入力してＡＤ変換により音声データに変換し、音声データを含むパケットを生成し、端末通信部７８に指示してアナログ感知器１４及び伝送路１２を経由して受信機１０に送信する制御を行う。
【００８０】
また、端末制御部７６は、操作部８４に設けた音声入力スイッチの操作による音声入力開始信号、確認スイッチの操作による確認信号等を含むパケットを生成し、端末通信部７８に指示してアナログ感知器１４及び伝送路１２を経由して受信機１０に送信する制御を行う。
【００８１】
また、端末制御部７６は、端末通信部７８で受信した受信機１０からの各種信号を含むパケットの受信に基づき、表示部８２による表示やスピーカ８８からの音声出力により音声入力開始や音声認識結果等を報知する制御を行う。
【００８２】
このような音声操作端末３６を防災担当者が携帯して火災発生現場に出向いて火災を確認した場合に、携帯している音声操作端末３６を使用して音声入力を行うと、この音声入力による音声信号がアナログ感知器１４及び伝送路１２を介して受信機１０に送られ、受信機１０で音声操作端末３６からの音声信号を認識し、音声認識結果に対応した制御を遠隔的に行わせることができる。
【００８３】
［音声認識制御部］
図６は受信機に設けた音声認識制御部の機能構成を示したブロック図、図７は受信機に
設けたスイッチ制御情報、音声認識結果の出力に使用する音声認識情報、及び文字情報バッファの格納情報を示した説明図である。
【００８４】
図６に示すように、音声認識制御部３４は、音声入力部９０、音声認識部９２、雛形記憶部９４、制御出力部９６、単語変換部９８、単語辞書部１００、文字情報バッファ１０２及び文字情報出力部１０４を備える。
【００８５】
（音声認識と制御）
音声入力部９０は、受信機１０に設けたマイク２６から音声信号を入力してＡＤ変換により音声データに変換すると共に、アナログ感知器１４及び伝送路１２を経由して音声操作端末３６から受信した音声データは、そのまま音声認識部９２に出力する。
【００８６】
音声認識部９２は、入力音声波形データを、雛形記憶部９４に予め記憶しているひらがな５６文字を含む各文字の雛形波形データと比較し、音声データをひらがな文字列に変換する。この音声認識による波形比較は、音声波形データにつき所定の多次元数学値への変換を行い、多次元ベクトルの比較照合などの所定の音声認識方法により、音声データをひらがな文字列に変換する。
【００８７】
制御出力部９６は、音声認識部９２で得られた音声認識結果に基づく受信機１０の制御信号を出力する。制御出力部９６は例えば図７（Ａ）に示すスイッチ制御情報１０６と図７（Ｂ）に示す音声認識情報１０８に基づき受信機制御を行う。
【００８８】
図７（Ａ）のスイッチ制御情報１０６は、受信機制御部１６のメモリに記憶されており、アドレス、スイッチ名、制御ビット及び定位等から構成している。この例では、アドレス００１〜００６に、図３の操作部２４に設けた断定スイッチ４６、音響停止スイッチ４８、地区音響一時停止スイッチ５０、復旧スイッチ５２、地区音響一斉鳴動スイッチ５４、一括連動移報停止スイッチ５６を登録しており、何れのスイッチも操作していない場合、制御ビットは全てビット０となっている。また、定位の情報は、断定スイッチ、音響停止スイッチ、地区音響一時停止スイッチ、復旧スイッチ及び一括連動移報停止スイッチは停止解除であり、地区音響一斉鳴動スイッチは停止となっている。
【００８９】
図７（Ｂ）の音声認識情報１０８は、受信機制御部１６のメモリに記憶されており、アドレス、基準認識音声及び制御アドレスで構成している。基準認識音声には、図３の操作部２４に設けた断定スイッチ４６、音響停止スイッチ４８、地区音響一時停止スイッチ５０、復旧スイッチ５２、地区音響一斉鳴動スイッチ５４、一括連動移報停止スイッチ５６に対応したひらがな文字列を記憶している。
【００９０】
例えば、音響停止スイッチ４８に対応した音声入力としては、「おんきょう  ていし」や「けいほう  ていし」が想定されることから、これを基準認識音声としてアドレス１００，１０１に記憶しており、制御アドレスは両方とも図７（Ａ）の音響停止スイッチのアドレス００１を記憶している。
【００９１】
図６の制御出力部９６は、音声認識部９２から例えば認識音声「おんきょう  ていし」を入力すると、図７（Ｂ）の音声認識情報１０８の基準認識音声と比較照合し、照合一致したアドレス１００の制御アドレス００１を取得し、図７（Ａ）のスイッチ制御情報１０６のアドレス００１の制御ビットをそれまでのビット０からビット１に書き替える。
【００９２】
図１の受信機制御部１６は周期的に図７（Ａ）のスイッチ制御情報１０６を参照しており、音響停止スイッチ４８の制御ビットがビット１に変化したことで、音響停止スイッチ４８の操作が行われたと判断し、受信機１０から出力している例えば火災音響警報（主音響警報）を停止する制御を行う。
【００９３】
この点は、図７（Ｂ）に示す他の基準認識音声についても同様であり、例えば、断定スイッチ４６の音声入力については、「かさい  だんてい」、「がす  もれ  だんてい」及び「だんてい」の３パターンを基準認識音声として記憶しており、何れかの音声入力を認識すると、制御アドレス００２を取得し、図７（Ａ）のスイッチ制御情報１０６のアドレス００２の制御ビットをそれまでのビット０からビット１に書き替えることになる。
【００９４】
なお、認識音声によりスイッチ制御情報１０６の制御ビットを書き替えることにより、音声入力に対応した制御を行う手法は、一例であり、単語の並べ替えに対応するなど必要に応じて認識音声から対応する制御を行う適宜の手法をとることができる。
【００９５】
（認識音声の文字列変換）
図６の単語変換部９８は、音声認識部９２から入力したひらがな文字列を、単語辞書部１００に登録したひらがな単語と漢字単語との対応関係を参照して、図７（Ｃ）に示す文字情報バッファの格納情報１１０を参照して漢字入り文字列に変換する。
【００９６】
文字情報バッファ１０２は、単語変換部９８で変換した漢字入り文字列による文字情報を一時記憶し、文字情報出力部１０４により読出して出力する。文字情報出力部１０４より出力された文字情報は、受信機１０のマイク２６からの音声入力に対しては受信機１０の液晶表示部２２に表示され、音声操作端末３６からの音声入力に対しては、文字情報を含むパケットを伝送路１２及びアナログ感知器１４を介して音声操作端末３６に送って液晶表示部に表示させる。
【００９７】
［火災警報を出力した場合の制御］
図８は受信機が火災警報を出力した場合の液晶表示部の表示画面を示した説明図である。まず、受信機１０が火災警報を出力した場合の制御及び処置の概要は次にようになる。
（１）火災代表灯の点灯、火災発生場所の表示、主音響の出力、地区音響警報の出力。
（２）火災発生場所の確認。
（３）火災の場合の火災断定操作。
（４）１１９番通報。
（５）火災でない場合の地区音響停止操作と復旧操作。
【００９８】
（液晶表示部又は操作部による制御）
受信機１０で例えば感知器からの火災信号を受信して火災警報を出力したとすると、受信機１０の表示部２０に設けた火災代表灯が点灯し、音響警報部２８のスピーカから所定の主音響警報が出力され、更に、図８（Ａ）に示すように、液晶表示部２２に火災報知画面１１６が表示される。
【００９９】
火災報知画面１１６には、所定の火災マーク１１８に続いて火災文字１２０が表示され、その下に火災発生場所１２２が表示され、併せて、火災の現場確認を促すメッセージ１２４、音響警報を停止するための操作ボタン１２６、及び、次の画面に切り替えるための切替ボタン１２８が表示される。
【０１００】
受信機１０の火災警報を受けて、防災担当者は、まず火災報知画面１１６の操作ボタン１２６にタッチするか、図３に示した操作部２４の音響停止スイッチ４８を操作すると、主音響が停止し、液晶表示部２２は図８（Ｂ）の火災報知画面１３０に切り替わる。火災報知画面１３０には、画面下側に、火災の現場確認に応じて操作する「はい」と「いいえ」の操作ボタン１３２，１３４と火災発生場所の全体図を示す操作ボタン１３６が表示される。
【０１０１】
続いて、防災担当者は火災発生場所に出向いて現場確認する。現場確認により火災であった場合には、受信機１０に戻るか、非常電話により受信機側に残っている担当者に連絡し、液晶表示部２２の操作ボタン１３２をタッチするか、図３に示した操作部２４の断定スイッチ４６を操作すると、そのとき受信機１０で設定している連動停止や移報停止が自動的に解除されることになる。
【０１０２】
一方、現場確認により火災でなかった場合には、図８（Ｂ）の液晶表示部２２の操作ボタン１３４をタッチするか、図３に示した操作部２４の地区音響一時停止スイッチ５０を操作すると、地区音響装置からの音響出力を一時停止する制御が行われると共に、受信機１０の液晶表示部２２は、復旧ボタンを設けた復旧画面に切り替わる。
【０１０３】
そこで、感知器が作動した原因を取り除いて復旧画面の復旧ボタンにタッチするか、図３に示した操作部２４の復旧スイッチ５２を操作すると、受信機１０を通常監視状態に復旧させる制御が行われる。
【０１０４】
このような液晶表示部２２又は操作部２４による操作は、従来の受信機１０と同じ操作となる。
【０１０５】
（音声操作端末による遠隔制御）
図９は音声操作端末と受信機の間でアナログ感知器を介して行う音声入力による制御動作を示したタイムチャートである。
【０１０６】
受信機１０で火災警報が出力された場合の主音響の停止までは、従来と同じになるが、本実施形態にあっては、火災発生場所に出向いて現場確認する防災担当者は音声操作端末３６を携帯する。
【０１０７】
現場確認により火災であった場合には、防災担当者は、音声入力に先立ち、図９のステップＳ１に示すように、音声操作端末３６の操作部８４に設けた音声入力スイッチを操作する。これを受けて音声操作端末３６はステップＳ２で音声入力開始信号を、アナログ感知器１４を経由して受信機１０に送信する。
【０１０８】
音声操作端末３６からの音声入力開始信号を受信した受信機１０の音声認識制御部３４は、ステップＳ３で音声認識動作を起動し、続いてステップＳ４で確認応答信号を、アナログ感知器１４を経由して音声操作端末３６に送信する。
【０１０９】
受信機１０からの確認応答信号を受信した音声操作端末３６は、ステップＳ５でスピーカ８８から例えば「ピッ」といった音声入力開始音を出力し、これを聞いて防災担当者はマイク８６に向けて例えば「かさい  だんてい」の言葉を発して音声入力すると、ステップＳ６で音声信号はＡＤ変換により音声データに変換され、アナログ感知器１４を経由して受信機１０に送信される。このとき音声操作端末３６の表示部８２にはバーグラフ等により音量が表示され、バーグラフの目盛に示された適正音量の表示位置を見ることで、音声認識に必要な適正音量による音声入力が可能となる。
【０１１０】
受信機１０はステップＳ７で音声操作端末３６が送信した音声データをメモリに記憶し、続いてステップＳ８で音声認識を実行し、ステップＳ９で音声認識成功を判別するとステップＳ１０で音声認識結果を示す音声データをアナログ感知器１４を経由して音声操作端末３６に送信する。
【０１１１】
音声操作端末３６は、受信機１０からの音声データを受信すると、ステップＳ１１で音声認識結果と確認応答のガイダンスを音声出力する。このガイダンスの音声出力は、例えば「火災断定ですね  よろしければ  確認スイッチを押してください」とする。なお、音声ガイダンスではなく、表示部８２にガイダンス表示をしても良い。また、確認スイッチの操作ではなく、音声入力による確認応答としても良い。
【０１１２】
音声ガイダンスを受けた防災担当者は、ステップＳ１２で音声操作端末３６の確認スイッチを操作すると、ステップＳ１３で確認応答信号がアナログ感知器１４を経由して受信機に送信される。
【０１１３】
音声操作端末３６からの確認応答信号を受信した受信機１０は、ステップＳ１４で音声認識結果に基づく制御として、そのとき受信機１０で設定している連動停止や移報停止が自動的に解除される火災断定に音声入力に対応した制御を行う。続いて、受信機１０はステップＳ１５で制御終了信号をアナログ感知器１４を経由して音声操作端末３６に送信し、これを受信した音声操作端末３６はステップＳ１６で音声入力による制御の正常終了を表示または音声出力により報知する。
【０１１４】
一方、受信機１０はステップＳ９で音声認識の失敗を判別した場合は、リトライ信号を音声操作端末３６に送信して操作音声の再入力を報知させる。
【０１１５】
このような音声操作端末３６を使用した音声入力により、火災発生場所の確認現場に向かった防災担当者は、受信機側に連絡したり、受信機に戻って必要な操作をする手間と時間を省くことができ、受信機に戻る必要がないことから、火災現場で初期消火や避難誘導等の対処を直ぐに行うことが可能となる。
【０１１６】
（受信機の音声入力による制御）
受信機１０に設けた音声認識制御部３４は、受信機１０に設けたマイク２６と音声入力スイッチ４５を使用することで、音声操作端末３６による音声入力の場合と同様にして、受信機１０で火災警報が出力された場合の音声入力により必要な制御を指示することができる。
【０１１７】
また、受信機１０側での音声入力による制御は、受信機１０に音声操作端末３６と通信接続可能なアナログ感知器１４に設けた中継通信部７０と同じ通信部を設けることで、音声操作端末３６を使用して、音声入力よる受信機制御をできるようにしても良い。
【０１１８】
（音声認識のチュートリアル機能）
また、受信機１０の音声認識制御部３４は、音声入力訓練モードを設定した場合に、音声操作端末３６又は受信機１０に設けたマイク２６からの音声信号を認識して認識結果を示す文字列を表示する所謂チュートリアル機能を備える。
【０１１９】
なお、マイク２６からの音声信号を認識した認識結果の表示は、文字列の表示に限定されない。例えば、「ＯＫ」や「ＮＧ」といった記号による表示や、ＬＥＤによる表示色や点滅等のパターンによる表示、ブザー音やスピーカ音による出力、制御内容のピクトグラムや図による画面表示等の適宜の報知が含まれる。
【０１２０】
このような音声認識のチュートリアル機能により、受信機１０に話しかけて音声認識により制御を行う最適な方法を学ぶことができ、マイクからの最適な距離や発生音量を理解し経験できるため、音声回路の自動利得制御（ＡＧＣ）でコントロールできる範囲の適正な音量での入力を可能とし、適正音量による入力でエコーやハウリング等による不都合も防止できる。
【０１２１】
（音声操作の履歴による効果）
また、受信機１０の音声認識制御部３４は、音声入力による音声信号を認識して制御した場合に、認識した音声信号または行った制御を履歴情報としてメモリに保存する履歴保存機能を備える。受信機１０で保存する音声入力した音声信号の履歴情報は、音声信号をＡＤ変換した音声データ、認識結果に対応したコード化情報、又は認識結果を示すテキスト情報の少なくとも何れかとする。この場合、マイクから入力した音声信号をコード化したり、テキスト化したりして保存することで、音声データを保存する場合に比べ、歴情報の記憶容量を低減し、メモリ使用量を低減可能とする。
【０１２２】
（外部装置による音声認識機能）
また、受信機１０の設けた音声認識制御部３４の音声認識を、インターネット等のネットワークを介して接続した外部のサーバ等に設けた音声認識エンジンにより行うようにしても良い。このようにインターネット上に存在するサーバの高度な音声認識エンジンを利用することで、精度の高い認識結果を得て受信機１０を音声入力により制御することが可能となり、また、受信機１０による音声認識動作を不要とすることで、受信機１０の処理負担を低減できる。
【０１２３】
［電話回線を利用した音声入力により受信機制御］
図１０は電話回線を利用して音声入力により受信機を遠隔的に制御するＰ型防災監視設備の概要を示したブロック図、図１１は図１０に設けた音声操作端末の機能構成を示したブロック図である。
【０１２４】
図１０に示すように、建物の管理人室などに設置した受信機２００（Ｐ型受信機）からは建物内の警戒区域に向けて信号回線が引き出されており、信号回線は例えば火報線Ｌ、コモン線Ｃ及び電話線Ｔの３本であり、火報線Ｌとコモン線Ｃで火報回線２１２を構成し、電話線Ｔとコモン線Ｃで電話回線２１３を構成している。
【０１２５】
受信機２００から引き出された火報回線２１２には警戒区域内の所定の感知区域ごとに設置したオンオフ感知器２１４を接続している。オンオフ感知器２１４は煙濃度又は温度の検出信号から火災を検出して動作した場合（これを「発報」又は「発報動作」という）、発報電流を火報回線２１２に流すことで火災信号を受信機２００に送信して火災警報を出力させる。
【０１２６】
また受信機２００から引き出された火報回線２１２には発信機２１５を接続している。発信機２１５は複数のオンオフ感知器２１４が設置された警戒区域ごと、例えば各部屋にオンオフ感知器２１４を設置した場合は廊下壁面等の共用部に設置される。発信機２１５は保護板でカバーされた発信機釦を備え、この押し込み操作によるスイッチ２１５ａのオンにより火報回線２１２に発報電流を流すことで火災発信信号を受信機２００に送信して火災警報を出力させる。
【０１２７】
発信機２１５に設けた開閉自在なカバー扉の中には電話機接続端子として機能する電話ジャック２１７を設けており、電話ジャック２１７は受信機２００からの電話回線２１３に接続している。発信機２１５に設けた電話ジャック２１７に、防災担当者等が携帯した非常電話機のプラグを差し込むことで、受信機２００側の電話ジャックに差し込んでいる非常電話機との間の通話接続が可能となる。
【０１２８】
ここで、発信機２１５は受信機２００から警戒区域毎に引き出された火報回線２１２に接続されているが、受信機２００から引き出された電話回線２１３は全ての警戒区域に共通回線として引き回されており、このため複数の発信機２１５に設けた電話ジャック２１７は同じ電話回線２１３に共通に接続されている。
【０１２９】
このような防災監視設備に対し本実施形態にあっては、受信機２００に電話回線アダプタ２４６を設けて受信機２００の受信機制御部２１６と電話回線２１３との間を接続し、また発信機２１５の電話ジャック２１７に、防災担当者３８が携帯した音声操作端末２３６をプラグ２５２の差し込みにより接続することで、音声操作端末２３６からの音声入力による受信機２００の制御を可能とする。
【０１３０】
受信機２００は受信機制御部２１６を備え、受信機制御部２１６は、ＣＰＵ、メモリ、各種の入出力ポートを備えたコンピュータ回路で構成している。また、受信制御部２１６には音声認識制御部２３４の機能を設けている。
【０１３１】
受信機制御部２１６に対しては、回線受信部２１８、表示部２２０、液晶表示部２２２、操作部２２４、マイク２２６、音響警報部２２８、移報部２３０、プリンタ２３２及び通話回路部２４０を設けている。
【０１３２】
また受信機制御部２１６に設けたＣＰＵからはＵＳＢとして知られた汎用シリアルバス（Ｕｎｉｖｅｒｓａｌ  Ｓｅｒｉａｌ  Ｂｕｓ）が引き出され、この汎用シリアルバスに入出力ポートして機能するＵＳＢコネクタによるＵＳＢポート２４２を１又は複数設けており、その内の１つに電話回線アダプタ２４６の一方の入出力端子を接続している。
【０１３３】
回線受信部２１８はオンオフ感知器２１４の火災検知による発報動作又は発信機２１５の押し釦操作で流れる発報電流を検出して火災信号を受信機制御部２１６に出力する。
【０１３４】
表示部２２０、液晶表示部２２２、操作部２２４、マイク２２６、音響警報部２２８、移報部２３０、プリンタ２３２は、図１に示した表示部２０、液晶表示部２２、操作部２４、マイク２６、音響警報部２８、移報部３０、プリンタ３２と基本的に同じになる。
【０１３５】
通話回路部２４０は電話回線２１３の電話線ＴにコンデンサＣ１，Ｃ２を直列接続し、コンデンサＣ１，Ｃ２の接続点を受信機２００に設けた電話ジャック２４４に接続している。また電話線Ｔには抵抗Ｒ３を介して電源電圧Ｖｃを印加しており、更に抵抗Ｒ１，Ｒ２を直列接続した分圧回路の分圧電圧を通話接続検出信号として受信機制御部２１６に出力している。
【０１３６】
発信機２１５の電話ジャック２１７に非常電話機のプラグを差し込み接続すると、抵抗Ｒ３から電話線Ｔ、電話ジャック２１７の非常電話機及びコモン線Ｃとなる経路で電流が流れ、抵抗Ｒ１，Ｒ２で分圧した通話接続検出信号（電圧信号）が所定値以下に低下し、これを受信機制御部２１６で検出して電話灯を点灯すると共に呼出音を出力し、受信機２００の電話ジャック２４４に別の非常電話機のフラグを差し込み接続することで、発信機２１５側の非常電話機との間で通話ができる。
【０１３７】
受信機制御部２１６のＵＳＢポート２４２にＵＳＢコネクタを用いた一方の入出力端子を接続した電話回線アダプタ２４６は、他方の入出力端子を通話回路部２４０に設けたコンデンサＣ１，Ｃ２の間に接続し、コンデンサＣ１，Ｃ２を介して電話回線２１３に接続している。
【０１３８】
電話回線アダプタ２４６は、受信機制御部２１６のＵＳＢポート２４２と電話回線２１３との間でパケット信号を送受信する。即ち、電話回線アダプタ２４６は、ＵＳＢポート２４２から受信したパケット信号を電話回線２１３の可聴帯域の音声周波数帯域３００〜３４００Ｈｚを搬送波とするパケット信号に変換し、例えば１２００ｂｐｓの速度で通信する。また、電話回線アダプタ２４６は、電話回線２１３から受信した音声周波数帯域３００〜３４００Ｈｚを搬送波とするパケット信号をＵＳＢプロトコルに従ったパケット信号に変換して受信機制御部２１６に出力する。
【０１３９】
電話回線アダプタ２４６の電話回線２１３に対する通信は、半二重通信又は全二重通信のＦＳＫ方式（周波数シフトキーイング方式）やＰＳＫ方式（位相シフトキーイング方式)等とし、市販の電話回線用のモデムが使用できる。
【０１４０】
発信機２１５の電話ジャック２１７にプラグ２５２を介して接続して使用する音声操作端末２３６は、図１１に示すように、端末制御部２４８、プラグ２５２を接続した端末通信部２５０、表示部２５４、操作部２５６、マイク２５８及びスピーカ２６０を備えており、電池電源により動作する。
【０１４１】
音声操作端末２３６の端末制御部２４８、表示部２５４、操作部２５６、マイク２５８及びスピーカ２６０は、図５に示した音声操作端末３６の端末制御部７６、表示部８２、操作部８４、マイク８６及びスピーカ８８と基本的に同じになる。
【０１４２】
端末通信部２５０は、マイク２５８から入力した音声信号のＡＤ変換による音声データや各種信号を含むパケットを端末制御部２４８から受け、可聴帯域の音声周波数帯域３００〜３４００Ｈｚを搬送波により電話回線２１３を介して受信機２００に送信すると共に、電話回線２１３を介して受信機２００の電話回線アダプタ２４６から可聴帯域の音声周波数帯域３００〜３４００Ｈｚを搬送波とするパケットから受信復調した信号を端末制御部２４８に出力する。
【０１４３】
このような防災監視設備に設けた電話回線２１３を受信機２００と音声操作端末２３６との間で信号を送受信する伝送系に利用することで、防災担当者の携帯する音声操作端末２３６からの音声入力により受信機２００を遠隔的に操作することできる。この場合の音声操作端末２３６による受信機２００の制御は、電話回線２１３、電話回線アダプタ２４６及び受信機制御部２１６のＵＳＢポート２４２を用いて信号を送受信する以外は、図１のＲ型防災監視設備の場合の制御と基本的に同じになる。
【０１４４】
［本発明の変形例］
上記の実施形態による音声入力による受信機制御では、受信機での音声認識の結果を音声操作端末に送って利用者による確認応答を受けて制御するようにしているが、利用者に確認応答を求めることなく、音声認識結果に基づき直接対応した制御を行うようにしても良い。
【０１４５】
また、図１０の電話回線を利用して音声操作端末からの音声入力により受信機を遠隔的に制御する実施形態は、図１に示したＲ型防災監視設備の電話回線を利用して、同様に、音声操作端末からの入力した音声の音声データを受信機に送信し、音声認識により対応する制御を行うようにしても良い。
【０１４６】
また、音声操作端末としてフィーチャーフォンやスマートフォン、タブレット、トランシーバーなどの音声入力可能な既知の端末を用いても良いし、基地の端末に付属品を取り付けて信号の入出力を行うものであっても良いし、独自の端末を用いても良い。
【０１４７】
また本発明は、その目的と利点を損なうことのない適宜の変形を含み、更に上記の実施形態に示した数値による限定は受けない。
【符号の説明】
【０１４８】
１０：受信機
１２：伝送路
１４：アナログ感知器
１６，２１６：受信機制御部
１８，６６：伝送部
２０，８２，２２０，２５４：表示部
２２，２２２：液晶表示部
２４，８４，２２４，２５６：操作部
２６，８６，２２６，２５８：マイク
２８，２２８：音響警報部
３０，２３０：移報部
３２，２３２：プリンタ
３４，２３４：音声認識制御部
３６，２３６：音声操作端末
３８：防災担当者（利用者）
４０：受信機パネル
４２：音響孔
４６：断定スイッチ
４８：音響停止スイッチ
５０：地区音響一時停止スイッチ
５２：復旧スイッチ
５４：地区音響一斉鳴動スイッチ
５６：一括連動移報停止スイッチ
５８，２１７，２４４：電話ジャック
６０：状態表示部
６２：電源部
６４：感知器制御部
６８：センサ部
７０：中継通信部
７６，２４８：端末制御部
７８，２５０：端末通信部
８８，２６０：スピーカ
９０：音声入力部
９２：音声認識部
９４：雛形記憶部
９６：制御出力部
９８：単語変換部
１００：単語辞書部
１０２：文字情報バッファ
１０４：文字情報出力部
２００：受信機（Ｐ型受信機）
２１２：火報回線
２１３：電話回線
２１４：オンオフ感知器
２１５：発信機
２１８：回線受信部
２４０：通話回路部
２４２：ＵＳＢポート
２４６：電話回線アダプタ
２５２：プラグ
【図１】
2020077427.tif 000003
【図２】
2020077427.tif 000004
【図３】
2020077427.tif 000005
【図４】
2020077427.tif 000006
【図５】
2020077427.tif 000007
【図６】
2020077427.tif 000008
【図７】
2020077427.tif 000009
【図８】
2020077427.tif 000010
【図９】
2020077427.tif 000011
【図１０】
2020077427.tif 000012
【図１１】
2020077427.tif 000013